(57)【要約】【課題】  身体の矯正すべき部位に強い押圧力を持続的に掛けつづけることができ、且つ、その矯正部位を自在に選定し得るばかりでなく、その力の量と方向性を容易に調整し得る、指圧の補助用も兼ね備えた整体機を提供する。【解決手段】    この発明は、上記のような課題を解決するために、台車上に立設された支柱に昇降体を係合し、この昇降体に上下揺動可能にスライド支持管を軸支し、このスライド支持管内を前後摺動可能に貫通して嵌められた押圧天秤棒の少なくとも一端に押圧球を取り付け、上記台車に設けられた重り装置からの重りの力が上記押圧球に付与されるように構成した。【選択図】    図１
2005080799.tif 000002
【特許請求の範囲】
【請求項１】
台車上に立設された支柱に昇降体を係合し、この昇降体に上下揺動可能にスライド支持管を軸支し、このスライド支持管内を前後摺動可能に貫通して嵌められた押圧天秤棒の少なくとも一端に押圧球を取り付け、上記台車に設けられた重り装置からの重りの力が上記押圧球に付与されるように構成したことを特徴とする整体機。
【請求項２】
位置決め可能な台車に左右一対の支柱からなる塔状フレームを立設し、塔状フレームの上端部に押圧球で押さえるための押圧天秤棒を前後両端が上下に揺動するように設け、下端部には上記押圧天秤棒に重りの力がワイヤーを介して付与されるように重り受けを設けてあり、塔状フレームにはその両支柱と係合する昇降体を設けるとともに、昇降体に押圧天秤棒が摺動可能に嵌まる押すネジ付きのスライド支持管を揺動可能に軸支することにより、押圧天秤棒が上下に位置調整可能であるとともに、その位置調整が前記押すネジで可能であり、押圧天秤棒の後端部とスライド支持管の前端部とにワイヤーを引っ掛ける連結片を取り付け、且つ、押圧天秤棒の両端部に、押圧球を着脱するネジ止め箇所を、１個または開口方向の異なる数個において設けてあり、また、重り受けの上方にワイヤーの通し孔を設け、さらにその上方でスライド支持管の真下位置には、押圧天秤棒の後端連結片に止めるワイヤーを経由させるワイヤー掛けを設けてあることを特徴とする整体機。
【請求項３】
整体用ベットの回りにレールを配設して備え、台車にそのレールと係合する前後に長いレールガイド棒をスライド可能に設けてあることを特徴とする請求項１記載の整体機。
【発明の詳細な説明】
【技術分野】
【０００１】
この発明は、患者の身体を本来の整体術の補助として矯正すべき部位を押さえる目的で使用できるばかりか、本来の指圧の補助用としても使用することができる、主に業務用の整体機に関する。
【背景技術】
【０００２】
整体術は、「人間の体を構造的に捉え、背骨や骨盤を中心とした骨格のズレを矯正することで万病を回復させることができる。」という考え方を基本とするもので、これによれば、１、２回の施術で矯正し治ることも珍しくないが、ズレや歪みがその人の生活習慣により、１０年、２０年かけて生じたために頑固であることがある。これは、身体のズレや歪みが細胞のレベルにまで影響を及ぼしているものと考えられる。
【０００３】
本出願人においては、このように全身の細胞の異常情報を解除するためにも、数十分の間連続して、治療すべき部位を矯正しなければならないという考えに至った。しかし、３kgから４kgの一定した力を加えて骨格矯正をし続けることはほとんど不可能である。プロでさえ１０秒から２０秒で限界がくる。
【０００４】
右にずれたものを左に矯正する必要があるのは誰にでも分かる。しかし、１０年、２０年かけてゆがみ、ズレを生じている骨格を瞬間的に何度矯正しても効果が得られない。歪んだ状態に戻らないようにするためには、例えば２kgから１２kgの一定した強い力を、方向性と時間の正しい情報をもとに、その歪んだ背骨などに移植するようにかけ続けることによって、初めて、本来の正常な機能が劇的に蘇ってくるのである。
【０００５】
また、身体には気血というエネルギーの通り道としての経絡がくまなく張り巡らされているが、これに気血の滞る点が多数散在しており、この点つまりツボを刺激することにより気血の循環を良くし、体全体のバランスをとりながら健康を回復、増進できるということで、ツボを押さえる療法すなわち本来の指圧がある。
【０００６】
この本来の指圧は、施術者または本人が主に親指をツボに押さえることによりなされるが、自分で手の届かない箇所のツボを押さえるために、簡単な指圧器が多数考案されている。これには、例えば、Ｕ字形ないし弓形に曲がった棒材の一端に握部を、他端に押え部を設けたものや、背骨の両側のツボを押さえる突起が配列された背受盤などを挙げることができる。しかし、このような指圧器では、長時間にわたって同じ点を一定の力で持続的に押圧するには適しなかったり、自由に部位を選択できないという欠点があった。
【０００７】
指圧は、一般的に一か所のツボを数秒押して２〜３秒休み、これを数回繰り返えしてなされのが普通であるが、押す時間を持続的に長くすると効果があるときがある。このような場合には、従来の指圧器を特に業務用としては使用できなかった。また、整体術においては、施術の補助として身体の緊張を緩和するために指圧を用いることがあり、この場合も、持続的な指圧が効果的であることが多い。
【発明の開示】
【発明が解決しようとする課題】
【０００８】
この発明は、上記のような考え方に基づいて、身体の矯正すべき部位に強い押圧力を持続的に掛けつづけることができ、且つ、その矯正部位を自在に選定し得るばかりでなく、その力の量と方向性を容易に調整し得る、指圧の補助用も兼ね備えた整体機を提供することを課題とした。
【課題を解決するための手段】
【０００９】
この発明は、上記のような課題を解決するために、台車上に立設された支柱に昇降体を係合し、この昇降体に上下揺動可能にスライド支持管を軸支し、このスライド支持管内を前後摺動可能に貫通して嵌められた押圧天秤棒の少なくとも一端に押圧球を取り付け、上記台車に設けられた重り装置からの重りの力が上記押圧球に付与されるように構成したことを特徴とする整体機を提供する。
【００１０】
さらに具体的には、位置決め可能な台車に左右一対の支柱からなる塔状フレームを立設し、塔状フレームの上端部に押圧球で押さえるための押圧天秤棒を前後両端が上下に揺動するように設け、下端部には上記押圧天秤棒に重りの力がワイヤーを介して付与されるように重り受けを設けてあり、塔状フレームにはその両支柱と係合する昇降体を設けるとともに、昇降体に押圧天秤棒が摺動可能に嵌まる押すネジ付きのスライド支持管を揺動可能に軸支することにより、押圧天秤棒が上下に位置調整可能であるとともに、その位置調整が前記押すネジで可能であり、押圧天秤棒の後端部とスライド支持管の前端部とにワイヤーを引っ掛ける連結片を取り付け、且つ、押圧天秤棒の両端部に、押圧球を着脱するネジ止め箇所を、１個または開口方向の異なる数個において設けてあり、また、重り受けの上方にワイヤーの通し孔を設け、さらにその上方でスライド支持管の真下位置には、押圧天秤棒の後端連結片に止めるワイヤーを経由させるワイヤー掛けを設けてあることを特徴とする整体機を提供するものである。
【００１１】
整体機を上記のように構成したから、これを使用するときには、患者の整体により矯正すべき治療部位を押圧球が適当な方向と力により押すように設定する。それには、基本的には、台車を所定位置に位置決めする。整体用ベットの回りにガイドレールが配列されていると（請求項３）、位置決めが容易である。また、押圧天秤棒の前端で押圧球を用いる場合と、後端で用いる場合とがあり、前端が主であるが、いずれの場合も、まず、押圧天秤棒を支持する昇降体の高さを設定する。そして、前端で押圧球を用いる場合には、押圧天秤棒の後端の連結片にワイヤー掛けに経由させてワイヤーを掛け止めるとともに、スライド支持管の押すネジを緩めて押圧天秤棒をフリーとなして患者の所定部位に押圧球を当てると、重りの重量で押圧天秤棒が前方向へ引かれるために、押圧球が所定部位を調整された重り量の力で、所定方向へ持続的に押圧し、背骨や骨盤などの骨格のズレを矯正することができる。
【００１２】
また、押圧天秤棒の揺動する力で前端または後端で押圧球を用いるときには、スライド支持管の押すネジを締める。そして、前後いずれかの連結片に通し孔から直接ワイヤーを引っ掛けると、重りの重量が押圧天秤棒の両端に掛かるから、この力で所定部位を上または下に押圧し得る。なお「押圧」には、前記した上下からの押圧のほか、前方へ押す押圧、手前の方へ引くことによる押圧などがあるが、本機ではその構成上、いずれの方向からも自在である。本願にいう「押圧」は、特にその方向を特定するものではない。
【発明の効果】
【００１３】
以上、説明したように、この発明の整体機によれば、重りの量により身体の整体すべき部位に強い押圧力を持続的に掛けつづけることができ、押圧球の取り付け箇所の選定と、昇降体の高さ位置の調整と、押圧天秤棒のスライド位置の調整などにより、その押圧部位を自在に選定し得るばかりでなく、その力の量と方向性を容易に調整し得るため、従来望み得なかったダイナミックな整体を施すことができ、殊に、整体術に補助的に使用して遺憾なく効果を発揮し得る。
【発明を実施するための最良の形態】
【００１４】
図面は、一実施の形態を示したもので、その整体機は、台車１に左右一対の塔状フレーム５を立設し、塔状フレーム５に、押圧天秤棒７と、重り受け９とを備え、その間にワイヤー１１が介在される。なお、主な部材には金属パイプや金属板材が使用されるが、プラスチック材等であっても良い。また、台車１を位置決めしやすくするために、整体用ベット３の回りにはガイドレール２が配設されている。
【００１５】
台車１は、前後角材１３，１３を左右一対の側部パイプ１４，１４で連結した矩形の枠組み構造であって、各四隅にキャスター１５，１５，・・を装着したもので、前後板材１３，１３の中央に貫通穴を設けて、それに通してレールガイド棒１７をスライド可能に装着し、後側の板材１３にスライドを止める押すネジ１９が取り付けられる。また、レールガイド棒１７の前端部には固定リング２１とスライド可能な調整リング２２とを嵌合し、その両方でガイドレール２を挟んでそれに係合するようにしてある。こうして、ガイドレール２と係合され、ベッド３の回りに所定位置で固定されるように、キャスター１５はロック式となっており、これとレール２との係合により位置決め固定される。
【００１６】
塔状フレーム５は、台車１の側部パイプ１４，１４の中間部にそれぞれパイプからなる支柱５ａ，５ａを立設し、その両支柱５ａ，５ａをトップ板２５とミドル板２６とで連結したもので、支柱５ａ，５ａの下端が連結部材２７を介して側部パイプ１４，１４に溶接で固定してある。そのうち、ミドル板２６の中央にはワイヤー１１の通し孔２８が穿設される。なお、組み立てについては、トップ板２５とミドル板２６に支柱５ａ，５ａが通る穴が設けられビスで固定される。さらに、塔状フレーム５には、押圧天秤棒７を取り付けるために、トップ板２５とミドル板２６との間において上下するように昇降体２９を備え、それに押圧天秤棒７のスライド支持管３０が揺動可能に軸支される。
【００１７】
昇降体２９は、左右支柱５ａ，５ａにそれぞれスライド可能に嵌まる一対のブロック３１，３１を、横軸３３により連結したもので（図３）、その横軸３３が両方のブロック３１，３１に嵌入し、間隔調整可能に押すネジ３４，３４により固着される。また、両ブロック３１，３１の側部にも押すネジ３７，３７が螺入され、これにより支柱５ａ，５ａに対して自由な高さに昇降体２９が調整されるようになっている。また、昇降体２９には、スライド支持管３０と一体の軸受金具３９が横軸３３を支軸に揺動可能に装着される。
【００１８】
スライド支持管３０は、中間よりも後ろ寄りにおいて軸受金具３９を溶接し、上面部に押圧天秤棒７を固定する押すネジ４１を螺着したもので、軸受金具３９に横軸３３が通る筒形部４０を形成したあるために上下に揺動する（図２，図３）。また、押すネジ４１により押圧天秤棒７がスライド不能に固定されるが、押すネジ４１を緩めて押圧天秤棒７をフリーとなし、重り１０の力で患者の身体Ｈの所定部位をスライド方向（Ｐ方向）に押すように使用することが比較的多い。図２の一点鎖線がその状態を示す。このスライド方向（Ｐ方向）に押す力を付与するために押圧天秤棒７の後端に連結片４３が突設される。なお、この時には、ワイヤー１１が筒形部４０に掛けてから連結片４３に掛け止められる。
【００１９】
また、スライド支持管３０の前端にも連結片４４が垂設されるので、これにワイヤー１１を通し孔２８から直接掛けると（図２の二点鎖線）、押圧天秤棒７の前端を下へ、後端を上へ（Ｑ方向）重りの力を付与できる。なお、後ろの連結片４３にワイヤー１１を通し孔２８から直接かけると（図示省略）、逆（Ｑの反対方向）の力を付与できる。この重り１０による力の方向と押圧球４５，４６の突設方向とにより、身体Ｈを具合良く方向自在に押圧即ち整体できる。
【００２０】
押圧天秤棒７は、両端に押圧球４５，４６をネジ付き棒４９，４９で取り付けて使用するようにしたもので、両方でそれぞれ二通りに取り付け得るように、前端部の端面と下面とにネジ穴４７，４７を穿設し、後端部の上面と下面とにネジ穴４８，４８（両方で直通している）を穿設してある（図６）。
【００２１】
重り受け９は、前又は後ろから板状の重り１０を出し入れできるように、金属板を屈折して前後両開口の矩形ないし角筒形に形成したもので、出し入れしやすく上端部が台形となっている。また、塔状フレーム５に沿って上下し得るように上下両端にプラスチック製の係合板５１，５２をビス止めし、それらの両端には両支柱５ａ，５ａと係合する切欠部５３，５３が設けられているので、重り受け９がワイヤー１１で吊り下げられた状態で、常時両支柱５ａ，５ａの間に安定して保持される。重り受け９にワイヤー１１の吊り具５５を直接取り付けるために、上部係合板５１の中央に切欠５７を設け、吊り具５５を切欠５７から上へ突設してある。なお、重り受け９が上にも開放されているので、押圧天秤棒７をほぼ垂直にして重り受け９に仕舞うことができる（図示省略）。
【００２２】
吊り具５５は、ワイヤー１１を通す筒形であって、下端部の後側面にワイヤー１１の引出口が開口されているので、ワイヤー１１の下端部をそこから引き出すことによって吊り長さの短縮調整がなされるように、内部に引出しに応じる逃げ爪が内蔵され、その掛止を解く押しボタン５９が伸長調整のため上端にはめ込まれている。なお、重り受け９にこの吊り具５５を立設するために、その下端部に重り受け９の上部壁を貫通する雄ネジを設け、ナット６１で締められる。なお、ワイヤー１１の先端には、ロック式のフック６５が取り付けられる。
【００２３】
レール２は、整体用ベット３の回りに配設される循環無端形状であって、支持脚６７を部分的に設けて床上に配置され、整体用ベット３の脚６９にコ字形金具７０を介してネジ７１で締め付けて連結される。７３はレール２から突設される連結補助片である。
【図面の簡単な説明】
【００２４】
【図１】この発明の一実施の形態を示す整体機の斜視図である。
【図２】図１のＡ−Ａ線矢視の断面図である。
【図３】Ｂ−Ｂ線矢視の断面図である。
【図４】レールの平面図である。
【図５】整体用ベットとともに示すレールの正面図である。
【図６】押圧天秤棒の両端部を示す縦断面図である。
【符号の説明】
【００２５】
１  台車
２  レール
３  整体用ベット
５  塔状フレーム
５ａ  支柱
７  押圧天秤棒
９  重り受け
１０  重り
１１  ワイヤー
１７  レールガイド棒
２８  通し孔
２９  昇降体
３０  スライド支持管
４０  ワイヤー掛けとしての筒形部
４１  押すネジ
４３，４４  連結片
４５，４６  押圧球
４７，４８  押圧球のネジ止め箇所としてのネジ穴
４９  ネジ付き棒
【図１】
2005080799.tif 000003
【図２】
2005080799.tif 000004
【図３】
2005080799.tif 000005
【図４】
2005080799.tif 000006
【図５】
2005080799.tif 000007
【図６】
2005080799.tif 000008